(57)【要約】【課題】  手が不自由な高齢者や身体障害者であっても、手軽に着用することが出来るファスナー付きワイシャツの提供。【解決手段】  上前身頃１０の前立て１と下前身頃２の接着芯１２にファスナー１４，１３を取付け、上記前立て１に飾りボタン５を取付けると共に飾りボタンホール６を形成し、ファスナー１４，１３を開閉操作するスライダー１５には指が係止するリング１６を連結し、襟４、襟台７、前立て１、上前身頃１０、下前身頃２、剣ボロ８、カフス９には布帛（織物）が使用され、そして後ろ身頃１１、袖３、及びヨーク２１にはニット生地を用いて縫製している。【選択図】    図１
2019203214.tif 000002
【特許請求の範囲】
【請求項１】
上前身頃の前立てと下前身頃の側縁部下部を止着した止着領域を設けてかぶり形式としたワイシャツにおいて、上前身頃の前立てと下前身頃の側縁部にファスナーを取付け、上記前立てに飾りボタンを取付けると共に飾りボタンホールを形成し、ファスナーを開閉操作するスライダーには指が係止するリングを連結し、襟、襟台、前立て、上前身頃、下前身頃、剣ボロ、カフスには布帛（織物）が使用され、そして後ろ身頃、袖にはニット生地を用いて縫製したファスナー付きワイシャツ。
【請求項２】
上前身頃の前立てと下前身頃の側縁部下部を止着した止着領域とする手段として、上前身頃の通孔と下前身頃の通孔を介してスライダーが当たる留め具を取付けて互いに噛み合った両ファスナーの開閉の位置を規制した請求項１記載のファスナー付きワイシャツにすることが出来る。
【請求項３】
上前身頃の前立てと下前身頃の側縁部下部を止着した止着領域とする手段として、上前身頃の前立てと下前身頃の側縁部を縫い付けた請求項１記載のファスナー付きワイシャツ。
【請求項４】
上記上前身頃と下前身頃に、後ろ身頃と連続したニット生地の脇身頃を設けた請求項１、請求項２、又は請求項３記載のファスナー付きワイシャツ。
【請求項５】
上前身頃と下前身頃の上端部ヨークを、後ろ身頃と連続するニット生地とした請求項１、請求項２、請求項３、又は請求項４記載のファスナー付きワイシャツ。
【発明の詳細な説明】
【技術分野】
【０００１】
本発明は、高齢者、手先に不自由を感じる人、また身体障害者でも手軽に着脱することができるファスナー付きワイシャツに関するものである。
【背景技術】
【０００２】
従来の一般的なワイシャツは正面に複数のボタンが備わっていて、ワイシャツを着用する場合には、上記ボタンを外し、着用した状態でボタンを再び掛けなくてはならない。そこで、ワイシャツの正面である下前身頃には複数のボタンが取り付けられ、前立てには複数のスリット状ボタン穴が貫通して設けられている。ボタンは上記スリット状ボタン穴に嵌まることが出来る。
【０００３】
ところで上記ボタン穴はスリット状に成っている為に、小さいボタンは嵌めにくく、特に年をとって手が不自由な高齢者や身体障害者にとっては、ワイシャツのボタンを掛けることは容易ではない。その為にボタンの１つや２つを掛け忘れるといったことや、掛け違いが発生する。
一方、従来の一般的なワイシャツは布帛（織物）を縫製しているため伸縮性が無く、高齢者や障害者にとっては該ワイシャツを着用する際に袖を通すことが容易ではない。
【０００４】
そこで、上記ボタン掛けを無くす為にファスナーを下前身頃の表面と前立ての裏面に取り付けているワイシャツも知られている。
例えば、特開２０００−３４５４０１号に係る「面ファスナーを用いて前合わせを行うシャツ」は高齢者や身体障害者が容易に着脱出来るシャツである。
また、特開２００９−８４７７０号に係る「かぶり着する短袖のワイシャツおよび長袖のワイシャツ」は、片手で操作ができる上に着脱が容易なワイシャツである。
ワイシャツ前面の表側と袖口とにボタンとボタン穴かがり部とが既にボタン掛けされた姿で設けられ、このワイシャツ前面の下半分と重なり合うワイシャツ後面の部分とがワイシャツ表面端部で縫合され、この縫合部の上から襟元までファスナーが隠れた状態で設けられている。
【０００５】
特開２００３−１２９３０１号に係る「ニットのワイシャツ」は、ニット素材と布帛（織物）素材を組み合わせた快適で運動性の優れたワイシャツ（紳士シャツ）であり、身頃と袖部分にニット生地を使用し、襟部分と袖口カフス部分に布帛（織物）を使用している。ただし、このニットのワイシャツはスーツと共に着用するには外観上不適切である。    
【特許文献１】特開２０００−３４５４０１号に係る「面ファスナーを用いて前合わせを行うシャツ」
【特許文献２】特開２００９−８４７７０号に係る「かぶり着する短袖のワイシャツおよび長袖のワイシャツ」
【特許文献３】特開２００３−１２９３０１号に係る「ニットのワイシャツ」
【発明の開示】
【発明が解決しようとする課題】
【０００６】
このように、ファスナーを備えたワイシャツは知られていて、ボタン式のワイシャツに比べて着脱は容易である。しかし、手が不自由になると、ファスナーのツマミを掴むことができなくなり、ファスナーの開閉が困難となる。
そして、ワイシャツの生地として使用される布帛（織物）は伸縮性に劣り、高齢者や身体障害者にとっては袖が通しにくく、着用した場合に窮屈感を覚える。
本発明が解決しようとする課題はこの問題点であって、手が不自由であっても容易に着脱出来て、着用した状態での窮屈感もなく、またファスナーの操作もし易く、しかも外観が損なわれないファスナー付きワイシャツを提供する。
【課題を解決するための手段】
【０００７】
本発明のワイシャツは従来のボタン式ではなく、ファスナーを縫い付けていて下前身頃と上身頃は上記ファスナーによって連結し、ワイシャツを着脱する際にはファスナーを外して上前身頃と下前身頃を開くことが出来る。ただし、上前身頃と下前身頃は全面開口することなく、襟元から所定の高さまでファスナーが開くように（所定の高さでスライダーが停止するように）留め具を取付けている。また、下縁から所定の高さまで縫い付けることも出来、本発明のワイシャツはかぶり形式と成っている。
【０００８】
正面からの外観は従来のワイシャツと同じである。また、袖口にもボタンではなくファスナーを縫い付けていて、袖に腕を入れる時には袖口のファスナーは外される。
ところで、本発明は主に手の不自由な高齢者や身体障害者を対象としたワイシャツであり、上記ファスナーの開閉は、スライダーの操作がし易いように、スライダーの摘みにはリングを取り付けている。リングは完全な円形に限るものではなく、指を係止することが出来る大きさ、形状であればよい。
一方、ワイシャツの前立てと袖口には飾りボタンを取り付け、ボタンホールも形成していて、ファスナーは外観上見えないように成っている。
【０００９】
また、本発明のワイシャツは一部にニット生地が用いられ、その為に着脱し易く、着用していても窮屈感がなく疲れが緩和される。すなわち、後ろ身頃と袖、及びヨークはニット生地としている。さらに、上前身頃と下前身頃の側縁にニット生地から成る脇身頃を後ろ身頃と連続して形成する場合もある。
本発明のファスナー付きワイシャツはかぶり形式であるが、前立てと袖口には飾りボタンを取り付け、ボタンホールも形成している。そして、下前身頃、上前身頃、カフス、及び剣ボロには布帛（織物）が使用されていることで、正面からの外観は従来のボタン式のワイシャツと同じように成っている。
【発明の効果】
【００１０】
本発明のワイシャツはファスナーを設けて上記ファスナーを介して上前身頃と下前身頃の一部を開閉することが出来き、かぶり形式としていることで従来のボタン式に比べてワイシャツの着脱が容易である。特に手が不自由な高齢者や障害者であってもファスナーを開け閉めすることでワイシャツの着脱が簡単に出来る。
【００１１】
しかも、該ファスナーを開閉するスライダーの摘みにはリングを取り付けていることで、このリングに指を係止することが可能となり、小さい摘みを操作することなく、リングを介してスライダーの操作ができる。
そして、ワイシャツには飾りボタンが取付けられると共に飾りボタンホールが形成されている為に、ワイシャツの外観が損なわれることはなく、スーツと共に着用して正式な場所に出席することが出来る。
【００１２】
ところで、本発明のワイシャツはかぶり形式であって、ファスナーのスライダーは所定の高さまでしか下りないように下縁から一定領域を縫い付けるなどした止着領域を設けている。
また、下前身頃の側縁部と上前身頃の前立てに通孔を設け、該通孔を介して留め具を取付けることで止着領域を形成し、かぶり形式のワイシャツにすることが出来る。そして、留め具を取外すならばかぶり形式でない普通のワイシャツに変えることが可能となる。
【００１３】
さらに、ファスナーの引手をリングにすることで、自分で上げ下げできなくても、他のものに引っ掛けてファスナーを操作できる。
ワイシャツの後ろ身頃と袖、及びヨークにニット生地を取り入れることで、障害で腕が曲がっている場合でも着脱することが出来、多少の体型変化にも対応でき、身体の曲げ伸ばしもし易く、長時間にわたって着用していても窮屈感はなく疲れが少ない。
一方、上前身頃と下前身頃の側縁にニット生地から成る脇身頃を後ろ身頃と連続して形成することで、身体を左右に曲げ易くなる。
しかも、ニット生地は前身頃ではなく後ろ身頃と袖である為に、ワイシャツの正面からの外観が損なわれることはない。
【図面の簡単な説明】
【００１４】
【図１】本発明に係るファスナー付きワイシャツの正面図。
【図２】ワイシャツを全面開口した場合。
【図３】留め具に当ってスライダーが停止した状態。
【図４】襟元を開口したかぶり形式のワイシャツを示す正面図。
【図５】袖口を開いた状態。
【図６】襟元のリングを操作している状態。
【発明を実施するための形態】
【００１５】
図１は、本発明のワイシャツを示す外観図であり、（１）は前立て、（２）は下前身頃、（１０）は上前身頃、（３）は袖、（４）は襟を示している。このように外観的には従来のワイシャツと同じであり、前立て（１）には飾りボタン（５）（５）・・・を取り付け、飾りボタンホール（６）（６）・・・を形成している。
本発明のワイシャツは布帛（織物）とニット生地の組み合わせで構成し、襟（４）、襟台（７）、前立て（１）、上前身頃（１０）、下前身頃（２）、剣ボロ（８）、カフス（９）は布帛（織物）が用いられ、後ろ身頃（１１）、袖（３）、及びヨーク（２１）はニット生地で縫製している。
そして、上前身頃（１０）と下前身頃（２）の側縁となる脇身頃（２５）、（２５）は後ろ身頃（１１）と連続したニット生地と成っている。
【００１６】
ここで、上記飾りボタン（５）、（５）・・・と飾りボタンホール（６）、（６）・・・はあくまでも装飾であり、上前身頃（１０）と下前身頃（２）を閉じるものではなく、本発明のワイシャツにはファスナーが用いられている。
すなわち、下前身頃（２）の側縁部（１２）と前立て（１）の裏面にそれぞれファスナー（１３）、（１４）を縫い付け、ファスナーにはスライダー１５がスライド出来るように取り付けられている。
【００１７】
ところで、本発明のワイシャツはかぶり形式で着脱することが出来る形態と成っていて、その為に、下前身頃２と上前身頃１０には止着領域が設けられて完全にオープンしない構造としている。
上前身頃（１０）には通孔（２２）が、下前身頃（２）には通孔（２３）が縫い付けられ、該通孔（２２）、（２３）を介して留め具（２４）が取付けられ、該留め具２４に上方から下りて来たスライダー（１５）が当って停止させることができる。
また、上記前立て（１）の下端部と下前身頃（２）の下端部を前以て縫い付けてしまうことで止着領域とし、下前身頃２と上前身頃１０とが完全にオープンしないようにすることも可能である。
【００１８】
同じく袖口の剣ボロ（８）とカフス（９）にも、飾りボタン（５）、（５）を取り付け、飾りボタンホール（６）、（６）を形成していて、従来のワイシャツと外観においては同じようになっている。
しかも、この袖口にもファスナー１７を縫い付けていて、該ファスナー１７を開くことで袖（３）に腕を通すことが出来、腕を通したところでファスナー１７が閉じられる。
【００１９】
図２は、下前身頃（２）と上前身頃（１０）を開いた状態で、下前身頃２は表面を、上前身頃１０の前立て１は裏面を表している。
該ワイシャツの下前身頃（２）の側縁部（１２）にはファスナー（１３）が縫い付けられ、又、上前身頃（１０）の前立て（１）裏面にもファスナー（１４）を縫い付けている。
そして、上記ファスナー（１４）には、スライダー（１５）がスライド出来るように噛み合っており、このスライダー（１５）には、リング（１６）が連結している。
【００２０】
ところで、上記両ファスナー（１３）、（１４）はスライダー（１５）を介して互いに噛み合うことが出来、スライダー（１５）が両ファスナー（１３）、（１４）に沿ってスライドするならば下前身頃（２）と上前身頃（１０）は閉じることが出来る。
図２は下前身頃（２）と上前身頃（１０）が開いている状態であるが、両ファスナー（１３）、（１４）はスライダー（１５）を介して互いに噛み合い、スライダー（１５）がスライドすることで、下前身頃（２）と上前身頃（１０）は閉じることが可能と成っている。
しかも、スライダー（１５）には、リング（１６）を連結していることで、該リング（１６）に指を係止しスライダー（１５）の操作がし易くなる。
【００２１】
図３はスライダー（１５）がファスナー（１３）、（１４）の下端までスライドして上前身頃（１０）と下前身頃（２）とが完全なオープン状態とならないように途中停止する為の留め具（２４）を取付けた場合を示している。
すなわち、本発明のファスナー付きワイシャツはかぶり形式であって、上前身頃（１０）と下前身頃（２）は完全オープン状態に成ることなく下部には止着領域を設けている。
【００２２】
すなわち、スライダー（１５）が途中の止着領域で停止するように構成している。上前身頃（１０）の通孔（２２）と下前身頃（２）の通孔（２３）に留め具（２４）を取付け、スライダー（１５）が留め具（２４）に当たって停止する。該留め具（２４）の位置を変えることで互いに噛み合った両ファスナー（１３）、（１４）は、開閉の位置を自ら決めることが出来る。
【００２３】
図４は上前身頃（１０）の通孔（２２）と下前身頃（２）の通孔（２３）に留め具（２４）を取付けることでスライダー（１５）が該留め具（２４）に当たって停止した場合を示している。そこで、上前身頃（１０）と下前身頃（２）の上部だけが開口することが出来る。
上記留め具（２４）の取付け位置を変えることで、互いに噛み合った両ファスナー（１３）、（１４）は開閉の位置を自ら決めてかぶり形式のワイシャツにすることが出来る。
勿論、上前身頃（１０）の前立て（１）と下前身頃（２）の側縁部（１２）を、下端から所定の範囲（止着領域）にわたって縫い付けることも出来る。
【００２４】
図５は袖口を示す詳細図である。同図は剣ボロ（８）とカフス（９）を開いた状態を表し、該ワイシャツの下剣ボロ（８−ｂ）から下カフス（９−ｂ）の１／２までの縁にはファスナー（１７）が縫い付けられ、また、上剣ボロ（８−ａ）から上カフス（９−ａ）の１／２までの裏面にもファスナー（１７）を縫い付けている。
そして、上記ファスナー（１７）、（１７）には、スライダー（１８）がスライド出来るように噛み合っており、スライダー（１８）には、操作がし易いようにリング（１９）が連結している。
【００２５】
ここで、ワイシャツの袖（３）の部分にはニット生地が採用され、剣ボロ（８）とカフス（９）には布帛（織物）が用いられて縫製されている。
上記袖（３）がニット生地で構成されていることで、着用した状態での腕の曲げ伸ばしがし易いのみならず、障害で腕が曲がっている人にとってワイシャツの着脱が楽になる。
しかし、あくまでもワイシャツである為に、スーツの袖からはみ出して見えるカフス（９）は布帛（織物）とし、またファスナー（１７）が取付けられる剣ボロ（８）も開閉し易いように布帛（織物）と成っている。
【００２６】
ところで、上記ファスナー（１７）はスライダー（１８）を介して互いに噛み合うことが出来、スライダー（１８）が両ファスナー（１７），（１７）に沿ってスライドするならば、下剣ボロ（８−ｂ）から下カフス（９−ｂ）と上剣ボロ（８−ａ）から上カフス（９−ａ）は閉じることが出来る。
このスライダー（１８）にも、リング（１９）を連結していることで、該リング（１９）に指を係止しスライダー（１８）の操作がし易くなっている。
【００２７】
図６は襟元に位置するスライダー（１５）のリング（１６）に指（２０）を係止している状態を示している。
このように小さいスライダー（１５）にリング（１６）を連結していることで、ファスナー（１３）、（１４）の開閉操作はし易くなり、手の不自由な高齢者や障害者であっても自分でワイシャツの着脱をすることが可能となる。
【符号の説明】
【００２８】
１ 前立て
２ 下前身頃
３ 袖
４ 襟
５ 飾りボタン
６ 飾りボタンホール
７ 襟台
８ 剣ボロ
８−ａ  上剣ボロ
８−ｂ  下剣ボロ
９ カフス
９−ａ  上カフス
９−ｂ  下カフス
10 上前身頃
11 後ろ身頃
12 側縁部
13 ファスナー
14 ファスナー
15 スライダー
16 リング
17 ファスナー
18 スライダー
19 リング
20 指
21 ヨーク
22 通孔
23 通孔
24 留め具
25 脇身頃
【図１】
2019203214.tif 000003
【図２】
2019203214.tif 000004
【図３】
2019203214.tif 000005
【図４】
2019203214.tif 000006
【図５】
2019203214.tif 000007
【図６】
2019203214.tif 000008